(57)【要約】【課題】  印刷物の印刷面の物理的形状から写像性を決定することのできる写像性予測装置、写像性予測方法、およびコンピュータ用のプログラムを提供する。【解決手段】  本発明にかかる写像性予測装置１００は、印刷物の印刷面の写像性を予測する写像性予測装置であって、前記印刷面の凹凸形状を示す凹凸情報を取得する凹凸情報取得部１０と、前記凹凸形状取得部１０が取得した前記凹凸情報に基づいて、前記印刷面の凹凸形状の勾配を算出する算出部２０と、前記算出部２０が算出した勾配に基づいて、前記印刷面の写像性を決定する写像性決定部３０と、を含む。【選択図】      図１
2006170782.tif 000002
【特許請求の範囲】
【請求項１】
印刷物の印刷面の写像性を予測する写像性予測装置であって、
前記印刷面の凹凸形状を示す凹凸情報を取得する凹凸情報取得部と、
前記凹凸形状取得部が取得した前記凹凸情報に基づいて、前記印刷面の凹凸形状の勾配を算出する算出部と、
前記算出部が算出した勾配に基づいて、前記印刷面の写像性を決定する写像性決定部と、
を含む、写像性予測装置。
【請求項２】
請求項１において、
前記算出部は、前記印刷面を複数の画素に分割して、各画素と隣接する画素の高さに基づいてそれぞれ勾配を算出し、
前記写像性決定部は、前記算出部が算出した勾配を用いて、勾配を階級とした頻度分布を作成する頻度分布作成部と、
前記頻度分布作成部が作成した前記頻度分布に基づいて、前記印刷面の写像性を算出する写像性算出部と、をさらに有する、写像性予測装置。
【請求項３】
請求項１または２において、
前記写像性決定部は、前記算出部が算出した勾配の頻度分布を示す頻度分布曲線の形状に基づいて、前記印刷面の写像性を決定する、写像性予測装置。
【請求項４】
請求項１ないし３のいずれかにおいて、
前記算出部は、前記印刷面の凹凸形状の高さを示す情報を各画素について微分することにより、前記勾配を算出する、写像性予測装置。
【請求項５】
請求項２ないし４のいずれかにおいて、
前記写像性決定部は、前記勾配の頻度分布において、頻度が最大となる勾配を中心とした所定の勾配の範囲内に含まれる画素数の総和の、総画素数に対する割合を、写像性として決定する、写像性予測装置。
【請求項６】
請求項２ないし４のいずれかにおいて、
前記頻度分布において、勾配を示す軸をｘ軸とし、画素数を示す軸をｙ軸とし、
前記写像性決定部は、前記頻度分布を示す頻度分布曲線をｘ軸方向にシフトするシフト量を算出するシフト量算出部と、前記シフト量算出部が算出した前記シフト量に基づいて、写像性を算出する写像性算出部と、を有し、
前記シフト量算出部は、シフト前の頻度分布のｙ値と、シフト後の頻度分布のｙ値との和である頻度和をｘ値ごとに算出し、算出した頻度和の中で、シフト前の頻度分布のピークと、シフト後の頻度分布のピークとの間の前記頻度和の最小値が、前記頻度和の最大値に対して所定の比率になるシフト量を算出し、
前記写像性算出部は、前記頻度和の最小値を有するｘ値から正方向において最大値を有するｘ値と、負方向において最大値を有するｘ値との差である写像性を算出する、写像性予測装置。
【請求項７】
請求項１ないし６のいずれかにおいて、
前記印刷物は、インクジェットプリンタによって印刷された印刷物である、写像性予測装置。
【請求項８】
印刷物の印刷面の写像性を予測する写像性予測方法であって、
（ａ）前記印刷面の凹凸形状を示す凹凸情報を取得するステップと、
（ｂ）取得した前記凹凸情報に基づいて、前記印刷面の凹凸形状の勾配を算出するステップと、
（ｃ）算出された前記勾配に基づいて、前記印刷面の写像性を決定するステップと、
を含む、写像性予測方法。
【請求項９】
請求項８において、
前記ステップ（ｂ）では、前記印刷面を複数の画素に分割して、各画素と隣接する画素の高さに基づいてそれぞれ勾配を算出し、
前記ステップ（ｃ）では、算出した勾配を用いて、勾配を階級とした頻度分布を作成し、作成した前記頻度分布に基づいて、前記印刷面の写像性を算出する、写像性予測方法。
【請求項１０】
請求項８または９において、
前記ステップ（ｃ）では、前記勾配の頻度分布を示す頻度分布曲線の形状に基づいて、前記印刷面の写像性を決定する、写像性予測方法。
【請求項１１】
請求項８ないし１０のいずれかにおいて、
前記ステップ（ｂ）では、前記印刷面の凹凸形状の高さを示す情報を微分することにより、前記勾配を算出する、写像性予測方法。
【請求項１２】
請求項９ないし１１のいずれかにおいて、
前記ステップ（ｃ）では、前記勾配の頻度分布において、頻度が最大となる勾配を中心とした所定の勾配の範囲内に含まれる画素数の総和の、総画素数に対する割合を、写像性として決定する、写像性予測方法。
【請求項１３】
請求項９ないし１１のいずれかにおいて、
前記頻度分布において、勾配を示す軸をｘ軸とし、画素数を示す軸をｙ軸とし、
前記ステップ（ｃ）は、前記頻度分布を示す頻度分布曲線をｘ軸方向にシフトするシフト量を算出するシフト量算出ステップと、算出した前記シフト量に基づいて、写像性を算出する写像性算出ステップと、を有し、
前記算出ステップでは、シフト前の頻度分布のｙ値と、シフト後の頻度分布のｙ値との和である頻度和をｘ値ごとに算出し、算出した頻度和の中で、シフト前の頻度分布のピークと、シフト後の頻度分布のピークとの間の前記頻度和の最小値が、前記頻度和の最大値に対して所定の比率になるシフト量を算出し、
前記写像性算出ステップでは、前記頻度和の最小値を有するｘ値から正方向において最大値を有するｘ値と、負方向において最大値を有するｘ値との差である写像性を算出する、写像性予測方法。
【請求項１４】
請求項８ないし１３のいずれかにおいて、
前記印刷物は、インクジェットプリンタによって印刷された印刷物である、写像性予測方法。
【請求項１５】
印刷物の印刷面の写像性を予測するコンピュータが実行可能なプログラムであって、
（ａ）前記印刷面の凹凸形状を示す凹凸情報を取得する取得手段と、
（ｂ）取得した前記凹凸情報に基づいて、前記印刷面の凹凸形状の勾配を算出する算出手段と、
（ｃ）算出された前記勾配に基づいて、前記印刷面の写像性を決定する決定手段と、
をコンピュータに実行させる、プログラム。
【発明の詳細な説明】
【技術分野】
【０００１】
本発明は、写像性予測装置、写像性予測方法、およびプログラムに関する。
【背景技術】
【０００２】
インクジェットプリンタ等の印刷装置によって印刷された印刷物において、ユーザは、印刷面の光沢性が高い印刷物を嗜好する傾向にある。光沢性の指標としては、主に写像性や鏡面光沢度をあげることができる。特に写像性については、ユーザが印刷面を見たときに感じる光沢感とほぼ合致したデータが得られることがわかっている（非特許文献１参照）。
【０００３】
印刷物の写像性は、専用の測定装置で測定することができる。写像性の測定装置は、スリットを通して被測定物に所定の角度で当てられた光の反射光を検知し、検知した光量の変動を波形として記憶して、記憶した変動波形から写像性を算出することができる。
【０００４】
しかし、写像性を測定することができたとしても、写像性と印刷物の物性との関連性が不明であったため、印刷物自体の構造や組成等の物理的形状に対して写像性の測定結果を反映させることはできなかった。
【非特許文献１】郵政研究所月報  ２００３．１
【発明の開示】
【発明が解決しようとする課題】
【０００５】
本発明は、印刷物の印刷面の物理的形状から写像性を決定することのできる写像性予測装置、写像性予測方法、およびコンピュータ用のプログラムを提供する。
【課題を解決するための手段】
【０００６】
本発明にかかる写像性予測装置は、印刷物の印刷面の写像性を予測する写像性予測装置であって、
前記印刷面の凹凸形状を示す凹凸情報を取得する凹凸情報取得部と、
前記凹凸形状取得部が取得した前記凹凸情報に基づいて、前記印刷面の凹凸形状の勾配を算出する算出部と、
前記算出部が算出した勾配に基づいて、前記印刷面の写像性を決定する写像性決定部と、を含む。
【０００７】
本発明にかかる写像性予測装置において、
前記算出部は、前記印刷面を複数の画素に分割して、各画素と隣接する画素の高さに基づいてそれぞれ勾配を算出し、
前記写像性決定部は、前記算出部が算出した勾配を用いて、勾配を階級とした頻度分布を作成する頻度分布作成部と、
前記頻度分布作成部が作成した前記頻度分布に基づいて、前記印刷面の写像性を算出する写像性算出部と、をさらに有することができる。
【０００８】
本発明にかかる写像性予測装置において、
前記写像性決定部は、前記算出部が算出した勾配の頻度分布を示す頻度分布曲線の形状に基づいて、前記印刷面の写像性を決定することができる。
【０００９】
本発明にかかる写像性予測装置において、
前記算出部は、前記印刷面の凹凸形状の高さを示す情報を各画素について微分することにより、前記勾配を算出することができる。
【００１０】
本発明にかかる写像性予測装置において、
前記写像性決定部は、前記勾配の頻度分布において、頻度が最大となる勾配を中心とした所定の勾配の範囲内に含まれる画素数の総和の、総画素数に対する割合を、写像性として決定することができる。
【００１１】
本発明にかかる写像性予測装置において、
前記頻度分布において、勾配を示す軸をｘ軸とし、画素数を示す軸をｙ軸とし、
前記写像性決定部は、前記頻度分布を示す頻度分布曲線をｘ軸方向にシフトするシフト量を算出するシフト量算出部と、前記シフト量算出部が算出した前記シフト量に基づいて、写像性を算出する写像性算出部と、を有し、
前記シフト量算出部は、シフト前の頻度分布のｙ値と、シフト後の頻度分布のｙ値との和である頻度和をｘ値ごとに算出し、算出した頻度和の中で、シフト前の頻度分布のピークと、シフト後の頻度分布のピークとの間の前記頻度和の最小値が、前記頻度和の最大値に対して所定の比率になるシフト量を算出し、
前記写像性算出部は、前記頻度和の最小値を有するｘ値から正方向において最大値を有するｘ値と、負方向において最大値を有するｘ値との差である写像性を算出することができる。
【００１２】
本発明にかかる写像性予測装置において、
前記印刷物は、インクジェットプリンタによって印刷された印刷物であることができる。
【００１３】
本発明にかかる写像性予測方法は、印刷物の印刷面の写像性を予測する写像性予測方法であって、
（ａ）前記印刷面の凹凸形状を示す凹凸情報を取得するステップと、
（ｂ）取得した前記凹凸情報に基づいて、前記印刷面の凹凸形状の勾配を算出するステップと、
（ｃ）算出された前記勾配に基づいて、前記印刷面の写像性を決定するステップと、
を含む。
【００１４】
本発明にかかる写像性予測方法において、
前記ステップ（ｂ）では、前記印刷面を複数の画素に分割して、各画素と隣接する画素の高さに基づいてそれぞれ勾配を算出し、
前記ステップ（ｃ）では、算出した勾配を用いて、勾配を階級とした頻度分布を作成し、作成した前記頻度分布に基づいて、前記印刷面の写像性を算出することができる。
【００１５】
本発明にかかる写像性予測方法において、
前記ステップ（ｃ）では、前記勾配の頻度分布を示す頻度分布曲線の形状に基づいて、前記印刷面の写像性を決定することができる。
【００１６】
本発明にかかる写像性予測方法において、
前記ステップ（ｂ）では、前記印刷面の凹凸形状の高さを示す情報を微分することにより、前記勾配を算出することができる。
【００１７】
本発明にかかる写像性予測方法において、
前記ステップ（ｃ）では、前記勾配の頻度分布において、頻度が最大となる勾配を中心とした所定の勾配の範囲内に含まれる画素数の総和の、総画素数に対する割合を、写像性として決定することができる。
【００１８】
本発明にかかる写像性予測方法において、
前記頻度分布において、勾配を示す軸をｘ軸とし、画素数を示す軸をｙ軸とし、
前記ステップ（ｃ）は、前記頻度分布を示す頻度分布曲線をｘ軸方向にシフトするシフト量を算出するシフト量算出ステップと、算出した前記シフト量に基づいて、写像性を算出する写像性算出ステップと、を有し、
前記算出ステップでは、シフト前の頻度分布のｙ値と、シフト後の頻度分布のｙ値との和である頻度和をｘ値ごとに算出し、算出した頻度和の中で、シフト前の頻度分布のピークと、シフト後の頻度分布のピークとの間の前記頻度和の最小値が、前記頻度和の最大値に対して所定の比率になるシフト量を算出し、
前記写像性算出ステップでは、前記頻度和の最小値を有するｘ値から正方向において最大値を有するｘ値と、負方向において最大値を有するｘ値との差である写像性を算出することができる。
【００１９】
本発明にかかる写像性予測方法において、
前記印刷物は、インクジェットプリンタによって印刷された印刷物であることができる。
【００２０】
本発明にかかるプログラムは、印刷物の印刷面の写像性を予測するコンピュータが実行可能なプログラムであって、
（ａ）前記印刷面の凹凸形状を示す凹凸情報を取得する取得手段と、
（ｂ）取得した前記凹凸情報に基づいて、前記印刷面の凹凸形状の勾配を算出する算出手段と、
（ｃ）算出された前記勾配に基づいて、前記印刷面の写像性を決定する決定手段と、
をコンピュータに実行させる。
【発明を実施するための最良の形態】
【００２１】
以下、本発明の好適な実施の形態について、図面を参照しながら説明する。
【００２２】
図１は、本実施の形態にかかる写像性予測装置１００の機能構成を示すブロック図である。写像性予測装置１００は、印刷物の印刷面の凹凸形状に基づいて写像性を予測することができる。写像性とは、印刷面に対面する物体の像を写す印刷面の性能をいう。
【００２３】
写像性予測装置１００は、凹凸情報取得部１０と、算出部２０と、写像性決定部３０と、出力部４０とを含む。
【００２４】
凹凸情報取得部１０は、印刷面の凹凸形状を示す凹凸情報を取得し、算出部２０に送る。具体的には、凹凸情報取得部１０は、光干渉顕微鏡、レーザー顕微鏡、レーザー共焦点顕微鏡等の光学顕微鏡法、タリステップ等の触針式表面形状測定法、走査電子顕微鏡等の電子ビーム法、ＡＦＭ（原子間力顕微鏡）のようなＳＰＭ（走査型プローブ顕微鏡）法等の公知の表面形状測定法を用いて、印刷面の凹凸形状を測定し、測定したデータを凹凸情報として取得する。
【００２５】
算出部２０は、凹凸情報取得部１０から受け取った凹凸情報に基づいて、凹凸形状の勾配を算出して、算出した勾配を示す情報を写像性決定部３０に送る。具体的には、算出部２０は、印刷面の凹凸形状の高さを示す情報微分することにより、画素ごとの勾配を算出する。印刷面は画素の集合体であり、算出部２０が受け取る凹凸情報は、高さを示す情報がそれぞれの画素に関連づけられている。画素のサイズは、光の波長である約０．４μｍから約１０μｍまでの範囲内であることが好ましい。算出部２０は、ある一の画素の高さを示す情報と、当該一の画素と隣接する他の画素の高さを示す情報から、局所勾配である微分値を求める。微分は、公知の方法を用いて行われ、たとえば、差分法、Ｓｏｂｅｌ法等の画像微分法、３または４つの画素からポリゴンまたはファセットと呼ばれる傾いた面を定義し、その面の傾きを求める方法、複数の画素を平均化し、これら複数の画素を改めて１画素と定義した上で微分する方法、同様に定義された画素をさらに複数集めてポリゴンまたはファセットと呼ばれる傾いた面を定義し、その面の傾きを求める方法等によって行われる。微分は、Ｘ方向と、それと直交するＹ方向との２方向において行われる。
【００２６】
写像性決定部３０は、算出部２０から受け取った勾配に対応するに基づいて、印刷面の写像性を決定し、出力部４０に送る。写像性決定部３０は、頻度分布作成部３８と、シフト量算出部３２と、第１の写像性算出部３４と、第２の写像性算出部３６とを有する。
【００２７】
頻度分布作成部３８は、算出部２０から凹凸形状の勾配を示す情報を受け取り、勾配を階級とした頻度分布曲線を作成する。
【００２８】
第１の写像性算出部３４は、頻度分布作成部３８が作成した頻度分布曲線に基づいて、頻度が最大となる勾配を中心とした所定の勾配の範囲内に含まれる画素数の総和の、総画素数に対する割合である第１の写像性を算出する。
【００２９】
シフト量算出部３２は、頻度分布曲線において、勾配を示す軸をｘ軸とし、画素数を示す軸をｙ軸とし、ｘ軸方向にシフトするシフト量を算出する。第２の写像性算出部３６は、シフト量算出部３２が算出したシフト量に基づいて、第２の写像性を算出する。
【００３０】
具体的には、シフト量算出部３２は、シフト前の頻度分布のｙ値と、シフト後の頻度分布のｙ値との和である頻度和をｘ値ごとに算出し、算出した頻度和の中で、シフト前の頻度分布のピークと、シフト後の頻度分布のピークとの間の頻度和の最小値が、頻度和の最大値に対して所定の比率になるシフト量を算出する。
【００３１】
第２の写像性算出部３６は、頻度和の最小値を有するｘ値から正方向において最大値を有するｘ値と、負方向において最大値を有するｘ値との差である写像性を算出する。
【００３２】
出力部４０は、第１の写像性算出部３４から第１の写像性を示す情報を、第２の写像性算出部３６から第２の写像性を示す情報を受け取り、これらの情報を出力する。出力部４０は、たとえば表示装置であってもよいし、印刷装置であってもよい。
【００３３】
図２は、写像性予測装置１００の動作を示すフローチャートである。
【００３４】
まず、凹凸情報取得部１０は、印刷面の凹凸形状を示す凹凸情報を取得する（Ｓ１００）。
【００３５】
次に、算出部２０は、凹凸情報取得部１０が取得した凹凸情報に基づいて、印刷面の凹凸形状の勾配を算出する（Ｓ１０２）。具体的には、算出部２０は、印刷面を複数の画素に分割し、印刷面上のＸ方向における凹凸形状を示す曲線の関数を微分することにより、Ｘ方向に配列されている各画素の位置における勾配を求めることができる。Ｘ方向と直交するＹ方向についても同様に勾配を求めることができる。
【００３６】
次に、頻度分布作成部３８は、算出部２０が算出した勾配を用いて、勾配を階級とした頻度分布曲線を作成する（Ｓ１０４）。頻度分布曲線の横軸は、階級であり、縦軸は勾配の値が一定の範囲内にある画素の数（頻度）である。頻度分布作成部３８が作成した頻度分布曲線の一例を図４に示す。
【００３７】
次に、写像性決定部３０は、第１の写像性を決定する（Ｓ１０６）。具体的には、図４を用いて説明する。図４は、第１の写像性算出部３４の動作を説明するための図であり、頻度分布曲線の一例を示す図である。第１の写像性算出部３４は、頻度分布曲線Ａにおいて、頻度が最大となる勾配０であり、勾配０から、正および負の方向に所定範囲ａまでの頻度の総和を算出する。図４では、斜線部の面積Ｂを算出することにより、所定範囲ａまでの頻度の総和を算出することができる。次いで、算出した頻度の総和の、印刷面の総画素数に対する割合を算出することにより、第１の写像性を決定する。図４では、頻度分布曲線Ａを積分した値に対する面積Ｂの値の割合を算出することにより、第１の写像性を決定することができる。
【００３８】
次に、写像性決定部３０は、第２の写像性を決定する（Ｓ１０８）。第２の写像性を決定する際の写像性決定部３０の詳細な動作については後述する。
【００３９】
次に、出力部４０は、第１の写像性算出部３４が算出した第１の写像性と、第２の写像性算出部３６が算出した第２の写像性とを出力する（Ｓ１１０）。
【００４０】
図３は、図２におけるＳ１０８における写像性決定部３０の詳細な動作を示すフローチャートである。
【００４１】
まず、シフト量算出部３２は、頻度分布作成部３８が作成した頻度分布曲線をｘ軸方向に一定量シフトする（Ｓ２００）。具体的には図５を用いて説明する。図５は、シフト量算出部３２および第２の写像性算出部３６の動作を説明するための図であり、シフト前の頻度分布曲線およびシフト後の頻度分曲線を示す図である。シフト量算出部３２は、頻度分布曲線Ａをｘ軸方向にシフトし、頻度分布曲線Ｂを生成する。
【００４２】
次に、シフト量算出部３２は、頻度分布曲線Ａのｙ値と、頻度分布曲線Ｂのｙ値との和である頻度和を算出し、ｘ値ごとの頻度和を示す頻度和曲線Ｃを作成する（Ｓ２０２）。
【００４３】
次に、シフト量算出部３２は、頻度分布曲線Ａのピークと頻度分布曲線Ｂのピークとの間における頻度和の最小値ｃが、頻度和の最大値ｂ１に対して所定の比率になるか否かを判断する（Ｓ２０４）。
【００４４】
頻度和の最小値ｃが、頻度和の最大値ｂ１に対して所定の比率にならないとシフト量算出部３２が判断した場合には、シフト量算出部３２の動作は、Ｓ２００に戻る。一方、頻度和の最小値ｃが、頻度和の最大値ｂ１に対して所定の比率になるとシフト量算出部３２が判断した場合には、第２の写像性算出部３６は、頻度和の最小値ｃを有するｘ値から正方向において頻度和の最大値ｂ２を有するｘ値と、負方向において最大値ｂ１を有するｘ値との差である第２の写像性ｄを算出する（Ｓ２０６）。
【００４５】
（実験例）
本発明にかかる方法を用いて算出された第１の写像性および第２の写像性と、従来の写像性測定装置を用いて測定された写像性との相関を確認するために、以下のような実験を行った。ただし、以下の記載は本発明の態様を概括的に示すものであり、特に理由なく、かかる記載により本発明は限定されるものではない。
【００４６】
１．印刷物の作製
６種類の顔料および分散樹脂を準備し、それぞれに保湿剤および界面活性剤を添加することにより顔料濃度が約５％のマゼンダ色のインクジェットインクＡ、Ｂ、Ｃ、Ｄ、Ｅ、Ｆを得た。市販のインクジェットプリンタを用いて、市販の写真画質光沢紙に上述したインクジェットインクをＤｕｔｙ１００％で印字することにより印刷物を得た。
【００４７】
菱化システム製光干渉顕微鏡、対物レンズ１０倍、ＣＣＤカメラＨＩＴＡＣＨＩ  ＫＰＭ１Ｕ２／３を用いて、１．６４ｍｍ×１．２４ｍｍの範囲で６４０×４８０画素の印刷面の凹凸形状を測定した。１画素のサイズは、約２．６μｍ角であった。
【００４８】
得られた凹凸形状を各画素についてｓｏｂｅｌ法により微分し、勾配を算出した。ついで、算出したすべての勾配について、水平面から±１０度の範囲内で、０．１度の範囲内に勾配の画素数をカウントし、頻度分布曲線を得た。頻度分布曲線から、所定の勾配の範囲ａを０．５として、上述した算出方法により第１の写像性を算出した。また、同様に頻度分布曲線から、所定の比率を２０％として、上述した算出方法により第２の写像性を算出した。
【００４９】
さらに、比較例として、村上色材製写像性測定装置を用いて、同様の印刷物の印刷面の写像性を測定した。測定結果を表１に示す。
【００５０】
【表１】
2006170782.tif 000003
【００５１】
表１の測定結果に基づいて図６および図７に示すグラフを作成した。図６は、第２の写像性の測定結果と、従来の写像性測定機による測定結果との相関を示す図であり、図７は、第１の写像性の測定結果と、従来の写像性測定機による測定結果との相関を示す図である。
【００５２】
図６において、横軸は従来の写像性測定機による測定結果を示し、縦軸は第２の写像性の測定結果を示す。図７において、横軸は従来の写像性測定機による測定結果を示し、縦軸は第１の写像性の測定結果を示す。
【００５３】
図６および図７によれば、本発明にかかる写像性予測方法を用いて決定された第１の写像性および第２の写像性と、従来の写像性測定機による測定結果とは、ともに比例関係を有することが確認された。従って、本発明にかかる写像性予測方法によって、印刷物の写像性を評価することができることが確認された。
【００５４】
写像性は、印刷物等の凹凸形状による、光の乱反射を計測するものであるとされてきたが、凹凸形状と写像性の測定値との具体的な関連性は不明であった。しかし、本発明によれば、凹凸形状の測定値に基づいて、写像性を算出することができることが確認された。これにより、写像性を低下させている原因を、印刷面の凹凸形状からつきとめることが可能となり、さらには、凹凸形状を制御することにより、光沢性の指標の１つである写像性を向上させることができ、ユーザの嗜好に合致した印刷物を提供することができる。また印刷面の各画素と、勾配とが対応付けられているため、写像性の低下が、印刷面のどの箇所が原因であるのか、または全体のラフネス、乾燥しわ、印字ドット残り等のうち、いずれに基づくものであったのか等を把握することができる。また、本実施の形態にかかる写像性予測装置によれば、印刷面の凹凸形状を物理的に測定し、その測定値である凹凸情報に基づいて写像性を決定するため、より精密な印刷面の写像性を測定結果として得ることができる。
【００５５】
以上、本発明の好適な実施の形態について述べたが、本発明はこれらに限定されず、各種の態様を取りうる。
【図面の簡単な説明】
【００５６】
【図１】本実施の形態にかかる写像性予測装置の機能構成を示すブロック図である。
【図２】写像性予測装置の動作を示すフローチャートである。
【図３】図２のＳ１０８の詳細な動作を示すフローチャートである。
【図４】写像性決定部の動作を説明するための図である。
【図５】写像性決定部の動作を説明するための図である。
【図６】第２の写像性と従来の写像性測定機による測定結果との相関を示す図である。
【図７】第１の写像性と従来の写像性測定機による測定結果との相関を示す図である。
【符号の説明】
【００５７】
１０  凹凸情報取得部、２０  算出部、３０  写像性決定部、３２  シフト量算出部、３４  第１の写像性算出部、３６  第２の写像性算出部、３８  頻度分布作成部、４０  出力部、１００  写像性予測装置
【図１】
2006170782.tif 000004
【図２】
2006170782.tif 000005
【図３】
2006170782.tif 000006
【図４】
2006170782.tif 000007
【図５】
2006170782.tif 000008
【図６】
2006170782.tif 000009
【図７】
2006170782.tif 000010